(57)【要約】      （修正有）【課題】コンパクトで使い易く、携帯に便利で、ハンドバックや鞄等の片隅に納め易く、何時でも、何処でも使える扇子を提供する。【解決手段】扇子の厚みは、０．５ｍｍから１．０ｍｍ前後の厚紙か、プラスチック板を扇形にカットビニールシートか和紙を貼り、二重か三重に折り重ねた扇子で、厚みは最大でも３．０ｍｍ前後で、広げて使用する構成です。【選択図】図１
0003119641.tif 000002
【実用新案登録請求の範囲】
【請求項１】
扇子の素材は、厚さは０．５ｍｍから１．０ｍｍ前後の厚紙、又はプラスチックト板を使用し、それを扇型にカットした、二枚（又は三枚）を、ビニールシートか和紙を片面又は両面に貼る事で、二重の扇子か、三重の扇子になるのですが、折り曲げたり広げたりが多く、そんな動きにも耐える耐久性も強度もある扇子です、又考案の扇子は、現在の扇子を広げた時の大きさを、１／２か２／３程度にまで、コンパクトにし、混雑した電車の車内や、ホーム等でも使用しやすく、又扇子の厚み、大きさが携帯に便利で、何時でも、何処でも使用し易くする事を、特徴とするコンパクト扇子。
【請求項２】
先端部分に凹を設け、そこに香料付着部（部品）を固着し、その付着部に綿布、和紙等を付着し、それに香料等を染み込ませ、扇その使用に広がりを持たせる事を特徴とする、請求項  １記載のコンパクト扇子。
【考案の詳細な説明】
【技術分野】
【０００１】本考案は扇子、団扇を改良しコンパクトで、携帯が便利で、何時でも、何処でも使用来る扇子に関するものです。
【背景の技術】
【０００２】夏の暑い日等で、駅のホームや電車の車内等で、人が多く混雑している場所で、若い女性が手の平で、自分の顔を扇いでいる光景を良く見受けます、扇子は携帯に適していますが、広げると大きく、電車の車内やホーム等の混雑した場所での使用には問題がある、団扇も、場所によっては大変便利ですが、何時でも、何処でも使用するには、又携帯には不適当で、問題があった。
【考案が解決しようとする課題】
【０００３】従来の扇子は、何百年もの歴史があり、形も機能も完成している、団扇も同じ様に完成しているが、現代の様に人が多く混雑している場所が、至る所にあり、扇子や団扇を自由に使える場所が限られています、本考案は混雑した場所でも、自由に利用できる様に、コンパクトで、常に携帯が出来て、何時でも、何処でも利用出来る様に、本考案は、これらの問題点を解決することを目的とする。
【課題を解決するための手段】
【０００４】扇子の材質は、厚さは０．５ｍｍから１．０ｍｍ前後で、良質の厚紙、又はプラスチックを使用
【図１】
の１、２の様に、扇形にカットした、二枚（又は三重）をビニールシートか和紙で、片面もしくは両面に貼り、適度の大きさの扇子にする、混雑した駅のホームや、電車の車内で他の人を気にせず使用出来る大きさは、現在の扇子の広げた時の大きさの１／２から２／３前後の、大きさであれば、人の多い場所での使用も、他の人たちの迷惑にならず自由に使用が出来る、現在の扇子の大きさでは、どうしても肘を張り、手の動きも大きくなり、混雑したホームや車ぐでは使いづらい、女性が電車の車内や混雑した場所で、手の平で自分の顔を扇ぐ感覚で、使用できる大きさ厚みは、薄くて、軽くて、強度も耐久性もあり、携帯に便利でハンドバックや鞄の片隅にも入り、何時でも、何処でも取出し使用出来る事を特徴とする。
【考案の効果】
【０００５】本考案の扇子は、折り重ねた状態は、コンパクトでハンドバックや鞄等の片隅に納め易く、広げて扇子として使用する場合も、普通の扇子や団扇と、同程度の風を送れると同時に、香料による香りの効果もあり、本考案の扇子は、携帯に便利で、何時でも、何処でも利用でき、強度と耐久性があり、薄くて、軽くて、使い易く、香りも楽しめて安価であると言う、効果を有する。
【考案の実施と携態】
【０００６】本考案の材質は、厚紙又はプラスチック板で、厚さは０．５ｍｍから１．０ｍｍ前後で扇型にカット、それを二重か三重折り重ねた形状で、ビニールシートか和紙を、片面又は両面に貼り、使用の時は、広げて扇子として使用する、
【図１】
１、２の２枚の扇形の表面に、ビニールシートか和紙を貼った扇子、
【図２】
１、２の２枚を重ねた扇子で、コンパクトで、ハンドバック、鞄等に納めやすく、片面又は両面にビニールか和紙を貼り、扇子として使う場合、広げたげたり、重ねたりの折り曲げがスムーズで、度合いが多くても、強度も耐久性も高く、携帯にも便利です。３の香料付着部（部品）に綿布、又は和紙を個着し、香料を付着、扇子の使用時に、風と香りの広がりがある、
【図３】
は要部拡大図で、３に綿布、又は和紙を固着し、香料を付着する、１、２を折り重ねた時（不使用時）５のビニールシートで、香料付着部の蓋をする構成を有する。
【図面の簡単な説明】
【０００７】
【図１】  本考案の平面図
【図２】  本考案の折り重ねた扇子の平面図と側面図
【図３】  本考案の要部拡大図
【符号の説明】
【０００８】  １、２    扇部
３        香料付着部
４        綿、和紙の固着部
５        ビニールシート又は和紙
【図１】
0003119641.tif 000003
【図２】
0003119641.tif 000004
【図３】
0003119641.tif 000005
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
考案の扇子に使用する素材は、厚み０．５ｍｍから１．０ｍｍ前後の良質の厚紙又はプラスチック板を使用します、〔図１〕扇（１、２）各１枚をカットした２枚をビニールシート又は良質の和紙（７）で片面又は両面に貼り、扇固定用具（６）をビス（８）で取り付け扇子として使用する時、扇（１、２）が内側に折り曲がりを防止する、考案の扇子は扇（１、２）を扇子として大きく広げて使用し、使用後は〔図２〕の様に折り重ねて小さくし、ハンドバックや鞄の片隅に収納が可能になり携帯に便利になる、ビニールシートや良質の和紙（７）の使用で、何百回と広げて扇子として大きくして使用し、折り重ねて小さくしてハンドバツク等に収納する繰り返しに耐える強度や耐久性もあり、考案の扇子を広げた時の大きさは普通の扇子の１／２（二重）から３／４（三重）前後で、折り重ねた時は１／４前後に成ります、三重の扇（３、４、５）も二重の扇（１、２）と同じ様に、各１枚をカットした３枚にビニールシートか良質の和紙（７）を、片面又は両面に貼り三重用の扇固定用具（６）をビス（８）で取り付ける、三重の扇（３、４、５）と二重の扇（１、２）の各１枚の大きさは、ほぼ同じで三重の扇子は二重の扇子を広げた大きさの約１．５倍になる、普通の団扇と大きさも風を送る能力もほぼ同じになります、考案の扇子は折り重ねる事でよりコンバクトになり、携帯に便利で、何時でも、何処でも使用出来る事を特徴とするコンパクト扇子。
【手続補正２】
【補正対象書類名】明細書
【補正対象項目名】全文
【補正方法】変更
【補正の内容】
【考案の詳細な説明】
【０００１】
【考案に属する技術分野】
本考案は扇子と団扇を改良し、二重又は三重に折り重ねる事でよりコンパクトにし、携帯に便利で何時でも、何処でも使用出来る扇子に関する。
【０００２】
【背景技術】夏の暑い日等で、人が多く混雑している電車の駅のホームやバス停、電車やバスの車内で若い女性等が、自分の手の平やハンカチで自分の顔を扇いでいる光景を良く見受けます、扇子は携帯に適していますがなぜかあまり使っていません、広げると少し大きく混雑した場所では使いずらいという事だと思います、団扇も場所によっては大変便利ですが、混雑した場所での使用、携帯には不適当で、何時でも、何処でも使用するには問題がある。【０００３】
【考案で解決しようとする課題】
現在の扇子と団扇は、何百年と言う長い歴史が有ります、形、機能、種類も完成しています、現在この長い歴史の中で完成した形等から、新しい形は出てきていないと思う、現代の様に人が多く混雑した場所は至る所にある、本考案は混雑した場所でも自由に使用出来、コンバクトで常に携帯が出来、何時でも、何処でも使用出来る扇子の考案で課題を解決する事を目的とする。
【０００４】
【課題を解決するための手段】
本考案の最大の目的は扇（１、２、３、４、５）を折り重ねる事である、混雑した電車やバスの車内、駅のホームやバス停等で使い易くする大きさを考え、考案の扇子の広げた時の大きさは、現在の扇子の大きさに比較して二重で１／２強、三重で３／４前後の大きさにする、二重又は三重に折り重ねた状態の本考案の扇子の大きさは、現在の扇子の広げた時の大きさと比較して、二重、三重ともに、１／４前後の大きさに成ります、
【０００５】本考案の二つ目の目的は、扇（１、２、３、４、５）を折り重ねる事で、コンパクトになり扇子を常に携帯が出来る事です、考案の扇子は折り重ねた時の厚みは最大でも３．０ｍｍ前後で、重さは２０ｍｇから３０ｍｇ前後、大きさは１／４前後と、ハンドバックや鞄の片隅に、上服の内ポケットにも収納が可能で、出し入れが簡単で、軽くて、薄くて、コンパクトなので、最も携帯に適しており、使用時の風量も現在の扇子、団扇と同程度で引けを取りません、最大のメリットは、何時でも、何処でも使用出来ることです。
【０００６】本考案のコンパクト扇子に使用する素材は、厚み０．５ｍｍから１．０ｍｍ前後で、良質の厚紙又はプラスチック板を使用する、扇（１、２、３、４、５）各１枚をカット、カットした扇（１、２、３、４、５）にビニールシート又は良質の和紙（７）を片面又は両面に貼って折り重ねた時、外側になるビニールシート又は和紙（７）を縁切りにしておく、又本考案の扇子は使用する時広げ、終れば折り重ねると言う動きが、何百回と繰り返すが、ビニールシート又は良質の和紙（７）の使用は、これに耐える強度や耐久性も充分にあります。
【０００７】
【考案の実施と形態】
本考案の実施と形態を図面を参照して説明する、本考案の一番の目的は扇（１、２、３、４、５）を折り重ねて使用する事である、
【図１】
の二重の扇子は、扇（１、２）を各１枚カットし、カットした２枚を
【図１】
の様に扇型にしビニールシート又は良質の和紙（７）を片面又は両面に貼る、折り重ねる時、外側になる扇（１、２）の繋ぎ目のビニールシート又は良質の和紙（７）を縁切りにして置く、又扇子として広げて使用する場合、内側に折れ様とするので、扇固定用具（６）をビス（８）で止め、折れを防ぎます、
【図３】
のビスの頭がもう１枚の扇に当たるので、その部分を切り欠きます、
【図４】
の三重の扇子も
【図１】
の二重の扇子と同じ構成です、現在の扇子を広げた大きさを考案の扇子を広げた状態と比較した場合、二重の場合１／２強で、三重の場合３／４前後の大きさで、考案の扇子を折り重ねた場合の比較は、二重、三重共に約１／４の大きさで、厚みは最大でも３．０ｍｍ前後で、重さも２０ｍｇから３０ｍｇ前後で折り重ねる事で、コンパクトになり携帯に適した、大きさ、薄さ、軽さであり、何時でも、何処でも使用出来る、
【図１】
の扇固定用具（６）をビス（８）で固定は１ケ所で、扇（１、２）を縁切りしており扇固定用具（６）を取り付けた、効果に疑問がありますが取り付けて見ると二重の場合も、三重の場合も充分に機能し固定する、又扇固定用具（６）の材質は、扇と同じ良質の厚紙又はプラスチック板で充分です。
【０００８】
【考案の効果】
本考案のコンパクト扇子は第一に扇（１、２、３、４、５）を折り重ねた事にあります、その結果考案の扇子の折り重ねた時の大きさと、現在の扇子の広げた時の大きさを比較すると、二重、三重の扇子共に１／４前後で、折り重ねた時の厚みは最大でも３．０ｍｍ前後で、重さも２０ｍｇから３０ｍｇ前後で、第２の目的である携帯に適した、大きさ、薄さ、軽さであり、その上何時でも、何処でも使用でき考案の扇子を広げて使用する場合でも、現在の扇子や団扇と同程度の風量が送れると言う効果が出た。
【０００９】
【図面の簡単な説明】
【図１】本考案  （二重用）平面図、右側面図、上側面図、
【図２】本考案  （二重用）折り重ねた状態の平面図、右側面図、下側面図  左側面図（７  ビニールシート又は良質の和紙の縁切りの要部拡大図）
【図３】本考案  （二重用）要部拡大部
【図４】本考案  （三重用）平面図  右側面図  上側面図
【図５】本考案  （三重用）折り重ねた状態の平面図  右側面図  下側面図  左側面図（７  ビニールシート又は良質の和紙の縁切りの要部拡大図）
【図６】  （三重用）要部拡大部
【符号の説明】
１、２、３、４、５、  扇
６  扇固定用具
７  ビニールシート又は良質の和紙
８  ビス
【手続補正３】
【補正対象書類名】図面
【補正対象項目名】全図
【補正方法】変更
【補正の内容】
【図１】
0003119641.tif 000006
【図２】
0003119641.tif 000007
【図３】
0003119641.tif 000008
【図４】
0003119641.tif 000009
【図５】
0003119641.tif 000010
【図６】
0003119641.tif 000011
【手続補正書】
【提出日】平成17年11月3日(2005.11.3)
【手続補正１】
【補正対象書類名】実用新案登録請求の範囲
【補正対象項目名】全文
【補正方法】変更
【補正の内容】
【実用新案登録請求の範囲】
【請求項１】
本考案のコンパクト扇子の第一の目的は、扇形の扇（１、２、３、４、５）を、二重（ふたえ）又は三重（みえ）に「折り重ねる」事です、第二の目的は、何時でも携帯が可能で、何処でも扇子として使用することが出来ることにあります、目的に適した、大きさ（広さ）、薄さ、軽さが、コンパクトで、携帯が可能で、何時でも、何処でも使用出来る事です、コンパクト扇子に使用する素材は、厚みが０．５ｍｍから１．０ｍｍ前後の良質の厚紙、又はプラスチック板を使用する、扇子の厚みは三重（みえ）の扇子を折り重ねた厚みは最大で３．０ｍｍ前後で曲げ防止用具（６、７）を入れて４０ｍｍ前後になる、扇（１、２、３、４、５）を平面に置き扇のかなめ付近に扇曲げ防止用具（６、７）を止め金（８）で止める、これで扇子として使用ができる、折り重ねて携帯用にする場合は、扇（２、４、５）を下方向に折り重ね、扇曲げ防止用具（６、７）を縦方向に合わせる、以上の様に扇子を折り重ねることでよりコンパクトになり、携帯に便利で、何時でも、何処でも使用できる事を、特徴とするコンパクト扇子。
【手続補正２】
【補正対象書類名】明細書
【補正対象項目名】全文
【補正方法】変更
【補正の内容】
【考案の詳細な説明】
【考案に属する技術分野】
【０００１】本考案は、扇子と団扇を改良し、二重（ふたえ）又は三重（みえ）に折り重ねる事でよりコンパクトにし、携帯に適した大きさ、薄さ、軽さで、何時でも、何処でも、使用出来る扇子に関する。
【背景技術】
【０００２】夏の暑い日などで、人が多く混雑している場所や、駅のホームやバス停、電車やバスの車内で若い女性等が、自分の手の平やハンカチなどで、自分の顔を扇いでいる光景を良く見受けます、扇子は携帯に適しているのに何故か使っていません、扇子を広げると少し大きく、混雑した場所では使いづらい事が原因ではと思います、団扇も場所によっては大変便利ですが、混雑した場所での使用と携帯には不適当で、何時でも、何処でも使用するには問題がある。
【考案で解決しようとする課題】
【０００３】現在の扇子と団扇には、何百年と言う長い長い歴史が有ります、形状、機能、種類もほぼ完成しているとおもいます、現在長い歴史で完成した形等から、あまり新しい形は出てきていないと思う、現在の様に人が多く混雑した場所が至る所にある、本考案は混雑した場所でも自由に使用でき、コンパクトで常に携帯が可能で、何時でも、何処でも、使用出来る扇子の考案で課題を解決する事を目的とする。
【課題を解決するための手段】
【０００４】本考案の最大の目的は、扇（１、２、３、４、５）折り重ねる事である、混雑した電車やバスの車内、駅のホームやバス停等で使い易くする大きさを考え、考案の扇子の広げた時の大きさは、現在の扇子の大きさに比較して、二重では１／２強、三重では３／４前後の大きさにする、二重又は三重に扇子を折り重ねた状態で本考案の扇子の大きさは、現在の扇子を広げた時の大きさと比較して、二重、三重共に１／４前後の大きさに成ります。
【０００５】本考案の二つ目の目的は、扇（１、２、３、４、５）を折り重ねる事で、コンパクトになり扇子を常に携帯が出来る事です、考案の扇子は折り重ねた時の厚みは最大でも４０ｍｍ前後で、重さは２０ｍｇから３０ｍｇ前後と軽く、大きさは１／４前後と、ハンドバックや鞄の片隅に、上服の内ポケットに入れることが可能で、出入れが簡単で、軽くて、薄くて、コンパクトなので、最も携帯に適しており、使用時の風量も現在の扇子、団扇と同程度の風量が有ります、最大のメリットは、何時でも、何処でも使用出来る事です。
【０００６】本考案のコンパクト扇子に使用する素材は、厚み０．５ｍｍから１．０ｍｍ前後で、良質の厚紙又はプラスチック板を使用する、扇（１、２、３、４、５）各一枚をカット、カットした扇（１、２、３、４、５）にビニールシート又は良質の和紙（９）を片面又は両面に貼って折り重ねた時、外側になるビニールシート又は和紙を縁切りにしておく、又本考案の扇子は使用するとき時広げ、終われば折り重ねると言う動きが、何百回と繰り返すが、ビニールシート又は良質の和紙（９）の使用は、これに絶える強度や耐久性も充分に有ります。
【考案の実施と形態】
【０００７】本考案の実施と形態を図面を参照して説明する、本考案の第一の目的は、扇（１、２、３、４、５）を折り重ねて使用する事です、
【図１】
二重の扇子は、扇（１、２）各一枚をカットし、カットした二枚を扇形にし、ビニールシート又は良質の和紙（９）を片面または両面に貼る、扇子のかなめ付近に扇曲げ防止用具（６）を止め金（８）で止める、又扇を折り重ねる時ビニールシート又は良質の和紙（９）を、曲げ防止用具（６）側の扇（１、２）のつなぎ目を縁切りにして置く、扇曲げ防止用具（６）は、扇子として広げて使用する場合、内側に折れ曲がろうとする扇子として使用する場合、固定する用具がなければ逆方向に折れ曲がるのを防ぐために有ります、
【図２】
二重の扇子を折り重ねた状態で、携帯する場合は此の様になる、
【図３】
三重の扇子ですが、二重の扇子とほぼ同じ構成です、ビニールシート又は良質の和紙（９）の縁切りの場所が、扇（３、４）の場合は曲げ防止用具（６）側のつなぎ目を縁切りにしますが、扇（４、５）の場合はその逆側（裏側）のつなぎ目を縁切りにします、
【図１】
【図４】
の扇曲げ防止用具（６，７）を取り付けている、二重で一箇所、三重で二ヶ所が縁切りにしている、二重、三重共に曲げ防止用具（６、７）は充分に機能している、又曲げ防止用具（６、７）の材質は、扇と同じ材質で充分です。
【考案の効果】
【０００８】本考案のコンパクト扇子は第一の目的は、扇（１、２、３、４、５）を折り重ねたことにあります、その結果、考案の扇子の折り重ねた時の大きさと、現在の扇子を広げた時の大きさを比較すると、二重、三重の扇子共に１／４前後で、折り重ねた時の厚みは、扇曲げ防止用具（６、７）を入れても、４０ｍｍ前後で、重さも２０ｍｇから３０ｍｇ前後です、第二の目的は、携帯に適した、大きさ、薄さ、軽さであり、何時でも、何処でも使用出来ること、考案の扇子を広げて使用する場合でも、現在の扇子や団扇と同程度の風量が送れるという効果がある。
【図面の簡単な説明】
【０００９】
【図１】本考案  （二重用）平面図、右側面図、上側面図
【図２】本考案  （二重用）折り重ねた状態の平面図、右側面図、下側面図、
【図３】本考案  （二重用）要部拡大図
【図４】本考案  （三重用）平面図、右側面図、上側面図
【図５】本考案  （三重用）折り重ねた状態の平面図、右側面図、下側面図
【図６】本考案  （三重用）要部拡大部
【符号の説明】
１、２、３、４、５、扇
６、７、            扇曲げ防止用具
８、                止め金
９、                ビニールシート又は良質の和紙
【手続補正４】
【補正対象書類名】図面
【補正対象項目名】全図
【補正方法】変更
【補正の内容】
【図１】
0003119641.tif 000012
【図２】
0003119641.tif 000013
【図３】
0003119641.tif 000014
【図４】
0003119641.tif 000015
【図５】
0003119641.tif 000016
【図６】
0003119641.tif 000017